(57)【要約】【課題】搬送ベルトに対するシートガイドの位置を精度よく決めることができる画像形成装置を提供する。【解決手段】  画像形成装置１は、ベルトユニット８と、ドロワ５とを備える。ドロワ５は、シートＳを搬送ベルト８Ｃに案内するためのシートガイド２２を有する。シートガイド２２は、ドロワ５が引出位置から収容位置へ移動する途中で、ベルトフレーム８Ｄと接触することによって搬送ベルト８Ｃに対して位置決めされる。【選択図】図２
2020034677.tif 000002
【特許請求の範囲】
【請求項１】
シートに画像を形成する画像形成装置であって、
本体ケーシングと、
前記本体ケーシング内に設けられるベルトユニットであって、第１ローラと、第２ローラと、前記シートを搬送可能である搬送ベルトであって、前記第１ローラと前記第２ローラとに巻かれた搬送ベルトと、前記第１ローラおよび前記第２ローラを回転可能に支持するベルトフレームと、を有するベルトユニットと、
前記本体ケーシング内に収容された収容位置と、前記本体ケーシング外に引き出された引出位置との間を移動可能なドロワであって、感光ドラムと、前記感光ドラムを回転可能に支持するドロワフレームと、前記シートを前記搬送ベルトに案内するためのシートガイドと、を有するドロワと、
を備え、
前記シートガイドは、前記ドロワが前記引出位置から前記収容位置へ移動する途中で、前記搬送ベルトに対して位置決めされていない第１位置から、前記ベルトフレームと接触することによって前記搬送ベルトに対して位置決めされる第２位置へ、前記ドロワフレームに対して移動するように構成されることを特徴とする、画像形成装置。
【請求項２】
前記画像形成装置は、
前記本体ケーシングの開口が開く開位置と前記開口を閉じる閉位置との間を移動可能なカバーを備え、
前記ドロワは、前記開口を通って、前記収容位置と前記引出位置との間を移動可能であることを特徴とする、請求項１に記載の画像形成装置。
【請求項３】
前記ドロワは、前記ドロワの移動方向における第１端と、前記ドロワの移動方向において前記第１端から離れた第２端であって、前記ドロワが前記引出位置に位置した状態で前記第１端よりも前記開口から離れて位置する第２端とを有し、
前記ドロワが前記引出位置に位置し、前記シートガイドが前記第１位置に位置した状態で、前記シートガイドは、前記感光ドラムよりも下方に位置し、かつ、前記ドロワの移動方向において、前記感光ドラムと、前記ドロワの前記第２端との間に位置することを特徴とする、請求項２に記載の画像形成装置。
【請求項４】
前記シートガイドが前記第２位置から前記第１位置へ向かって移動する場合、前記シートガイドは、下方へ向かうにつれて、前記ドロワの前記第２端から前記感光ドラムに近づく方向へ移動することを特徴とする、請求項３に記載の画像形成装置。
【請求項５】
前記本体ケーシングは、前記ドロワを移動可能に支持するガイドレールを備え、
前記ガイドレールは、前記ドロワが前記引出位置から前記収容位置へ移動する途中で、前記ドロワを前記ベルトユニットに近づくように案内し、
前記シートガイドは、前記ドロワが前記ガイドレールに案内されて前記ベルトユニットに近づくように移動するときに、前記ベルトフレームと接触して、前記第１位置から前記第２位置へ移動することを特徴とする、請求項１から請求項４のいずれか一項に記載の画像形成装置。
【請求項６】
前記本体ケーシング内に設けられるカムを有し、
前記シートガイドは、前記ドロワが前記引出位置から前記収容位置へ移動する途中で、前記カムと接触することにより、前記第１位置から前記第２位置へ移動することを特徴とする、請求項１から請求項４のいずれか一項に記載の画像形成装置。
【請求項７】
前記ドロワは、前記第２位置に位置する前記シートガイドを前記第１位置に向かって押圧するバネを備えることを特徴とする、請求項１から請求項６のいずれか一項に記載の画像形成装置。
【請求項８】
前記ドロワは、前記シートガイドの移動を案内するガイドを有することを特徴とする、請求項１から請求項７のいずれか一項に記載の画像形成装置。
【請求項９】
前記感光ドラムは、前記ドロワの移動方向と交差する軸方向に延びる第１軸について回転可能であり、
前記シートガイドは、前記軸方向に延び、前記軸方向における第１端と、前記軸方向において前記第１端から離れた第２端とを有し、
前記シートガイドの前記第１端に位置する第１接触部であって、前記ドロワが前記収容位置に位置する状態で、前記ベルトフレームに接触する第１接触部と、
前記シートガイドの前記第２端に位置する第２接触部であって、前記ドロワが前記収容位置に位置する状態で、前記ベルトフレームに接触する第２接触部と、
前記軸方向において、前記第１接触部と前記第２接触部との間に位置するガイド部であって、前記シートを前記搬送ベルトに案内するためのガイド部と
を備えることを特徴とする、請求項１から請求項８のいずれか一項に記載の画像形成装置。
【請求項１０】
前記ドロワは、前記引出位置に位置した状態で、前記本体ケーシングから取り外し可能であることを特徴とする、請求項１から請求項９のいずれか一項に記載の画像形成装置。
【請求項１１】
前記画像形成装置は、さらに、
前記感光ドラムに供給される現像剤を収容するカートリッジを備え、
前記カートリッジは、前記ドロワに装着可能であることを特徴とする、請求項１から請求項１０のいずれか一項に記載の画像形成装置。
【請求項１２】
前記感光ドラムは、前記ドロワの移動方向と交差する軸方向に延びる第１軸について回転可能であり、
第１ローラは、前記軸方向に延びる第２軸について回転可能であり、
第２ローラは、前記ドロワの移動方向において前記第１ローラと間隔を隔てて位置し、前記軸方向に延びる第３軸について回転可能であることを特徴とする、請求項１から請求項１１のいずれか一項に記載の画像形成装置。
【発明の詳細な説明】
【技術分野】
【０００１】
本開示は、画像形成装置に関する。
【背景技術】
【０００２】
従来、画像形成装置は、ベルトユニットとドロワとを備える。ベルトユニットは、シートを搬送する搬送ベルトを備える。ドロワは、シートを搬送ベルトに案内するためのシートガイドを備える（下記特許文献１参照）。
【先行技術文献】
【特許文献】
【０００３】
【特許文献１】特開２０１０−１２８３３６号公報
【発明の概要】
【発明が解決しようとする課題】
【０００４】
上記した特許文献１に記載されるような画像形成装置では、ドロワにシートガイドが設けられているため、ベルトユニットに対するドロワの位置が変わると、搬送ベルトに対するシートガイドの位置も変わってしまう。
【０００５】
そのため、搬送ベルトに対するシートガイドの位置を精度よく決めることが困難である。
【０００６】
そこで、本開示の目的は、搬送ベルトに対するシートガイドの位置を精度よく決めることができる画像形成装置を提供することにある。
【課題を解決するための手段】
【０００７】
（１）本開示の画像形成装置は、シートに画像を形成する。画像形成装置は、本体ケーシングと、ベルトユニットと、ドロワとを備える。ベルトユニットは、本体ケーシング内に設けられる。ベルトユニットは、第１ローラと、第２ローラと、搬送ベルトと、ベルトフレームとを有する。搬送ベルトは、シートを搬送可能である。搬送ベルトは、第１ローラと第２ローラとに巻かれる。ベルトフレームは、第１ローラおよび第２ローラを回転可能に支持する。ドロワは、収容位置と引出位置との間を移動可能である。ドロワが収容位置に位置する場合、ドロワは、本体ケーシング内に収容される。ドロワが引出位置に位置する場合、ドロワは、本体ケーシング外に引き出される。ドロワは、感光ドラムと、ドロワフレームと、シートガイドとを有する。ドロワフレームは、感光ドラムを回転可能に支持する。シートガイドは、シートを搬送ベルトに案内する。
【０００８】
シートガイドは、ドロワが引出位置から収容位置へ移動する途中で、搬送ベルトに対して位置決めされていない第１位置から、ベルトフレームと接触することによって搬送ベルトに対して位置決めされる第２位置へ、ドロワフレームに対して移動するように構成される。
【０００９】
このような構成によれば、シートガイドは、ドロワが引出位置から収容位置へ移動する途中で、ベルトフレームと接触することによって搬送ベルトに対して位置決めされる。
【００１０】
そのため、シートガイドをベルトユニットに直接位置決めすることができ、搬送ベルトに対するシートガイドの位置を精度よく決めることができる。
【００１１】
（２）画像形成装置は、カバーを備えてもよい。カバーは、開位置と閉位置との間を移動可能である。カバーが開位置に位置する場合、本体ケーシングの開口が開く。カバーが閉位置に位置する場合、カバーは、開口を閉じる。ドロワは、開口を通って、収容位置と引出位置との間を移動可能である。
【００１２】
（３）ドロワは、ドロワの移動方向における第１端と、ドロワの移動方向において第１端から離れた第２端とを有する。第２端は、ドロワが引出位置に位置した状態で第１端よりも開口から離れて位置する。ドロワが引出位置に位置し、シートガイドが第１位置に位置した状態で、シートガイドは、感光ドラムよりも下方に位置し、かつ、ドロワの移動方向において、感光ドラムと、ドロワの第２端との間に位置してもよい。
【００１３】
（４）シートガイドが第２位置から第１位置へ向かって移動する場合、シートガイドは、下方へ向かうにつれて、ドロワの第２端から感光ドラムに近づく方向へ移動してもよい。
【００１４】
（５）本体ケーシングは、ガイドレールを備えてもよい。ガイドレールは、ドロワを移動可能に支持する。ガイドレールは、ドロワが引出位置から収容位置へ移動する途中で、ドロワをベルトユニットに近づくように案内する。シートガイドは、ドロワがガイドレールに案内されてベルトユニットに近づくように移動するときに、ベルトフレームと接触して、第１位置から第２位置へ移動する。
【００１５】
（６）画像形成装置は、カムを有してもよい。カムは、本体ケーシング内に設けられる。シートガイドは、ドロワが引出位置から収容位置へ移動する途中で、カムと接触することにより、第１位置から第２位置へ移動する。
【００１６】
（７）ドロワは、バネを備えてもよい。バネは、第２位置に位置するシートガイドを第１位置に向かって押圧する。
【００１７】
（８）ドロワは、ガイドを有する。ガイドは、シートガイドの移動を案内する。
【００１８】
（９）感光ドラムは、ドロワの移動方向と交差する軸方向に延びる第１軸について回転可能である。シートガイドは、軸方向に延び、軸方向における第１端と、軸方向において第１端から離れた第２端とを有する。シートガイドは、第１接触部と、第２接触部と、ガイド部とを備える。第１接触部は、シートガイドの第１端に位置する。第１接触部は、ドロワが収容位置に位置する状態で、ベルトフレームに接触する。第２接触部は、シートガイドの第２端に位置する。第２接触部は、ドロワが収容位置に位置する状態で、ベルトフレームに接触する。ガイド部は、軸方向において、第１接触部と第２接触部との間に位置する。ガイド部は、シートを搬送ベルトに案内する。
【００１９】
（１０）ドロワは、引出位置に位置した状態で、本体ケーシングから取り外し可能であってもよい。
【００２０】
（１１）画像形成装置は、さらに、カートリッジを備えてもよい。カートリッジは、感光ドラムに供給される現像剤を収容する。カートリッジは、ドロワに装着可能である。
【００２１】
（１２）第１ローラは、軸方向に延びる第２軸について回転可能である。第２ローラは、ドロワの移動方向において第１ローラと間隔を隔てて位置する。第２ローラは、軸方向に延びる第３軸について回転可能である。
【発明の効果】
【００２２】
本開示の画像形成装置によれば、搬送ベルトに対するシートガイドの位置を精度よく決めることができる。
【図面の簡単な説明】
【００２３】
【図１】図１は、画像形成装置の概略構成図である。
【図２】図２は、図１に示すドロワが引出位置に位置した状態を示す。
【図３】図３は、図２に示すドロワを軸方向から見た側面図である。
【図４】図４は、図３に示すドロワを移動方向から見た側面図である。
【図５】図５は、図４に示すドロワのＡ−Ａ断面図であって、シートガイドが第１位置に位置した状態を示す。
【図６】図６は、図４に示すドロワのＡ−Ａ断面図であって、シートガイドが第２位置に位置した状態を示す。
【図７】図７は、ドロワが引出位置から収容位置へ移動するときのシートガイドの移動を説明する説明図であって、ドロワが引出位置から収容位置へ移動する途中であって、シートガイドが第１位置に位置した状態を示す。
【図８】図８は、図７に続き、ドロワが引出位置から収容位置へ移動するときのシートガイドの移動を説明する説明図であって、ドロワが収容位置に位置し、シートガイドが第２位置に位置した状態を示す。
【図９】図９は、変形例を説明するための説明図であって、ドロワが引出位置から収容位置へ移動する途中で、シートガイドがカムの第１傾斜面に接触した状態を示す。
【図１０】図１０は、図９に続き、変形例を説明するための説明図であって、シートガイドがカムの平面に接触した状態を示す。
【図１１】図１１は、図１０に続き、変形例を説明するための説明図であって、シートガイドがカムの第２接触面に接触した状態を示す。
【図１２】図１２は、図１１に続き、変形例を説明するための説明図であって、ドロワが収容位置に位置し、シートガイドが第２位置に位置した状態を示す。
【発明を実施するための形態】
【００２４】
１．画像形成装置の概略
図１、図２および図７を参照して、画像形成装置１の概略について説明する。
【００２５】
画像形成装置１は、シートＳに画像を形成する。画像形成装置１は、本体ケーシング２と、カバー３と、給紙カセット４と、ドロワ５と、露光装置６と、４つのカートリッジ７Ｙ、７Ｍ、７Ｃ、７Ｋと、ベルトユニット８と、定着装置９とを備える。
【００２６】
１．１  本体ケーシングおよびカバー
本体ケーシング２は、給紙カセット４と、ドロワ５と、露光装置６と、４つのカートリッジ７Ｙ、７Ｍ、７Ｃ、７Ｋと、ベルトユニット８と、定着装置９とを収容する。本体ケーシング２は、開口２Ａを有する。
【００２７】
カバー３は、開位置（図２参照）と閉位置（図１参照）との間を移動可能である。カバー３が開位置に位置する場合、開口２Ａが開く。カバー３が閉位置に位置する場合、カバー３は、開口２Ａを閉じる。
【００２８】
１．２  給紙カセット
給紙カセット４は、シートＳを収容可能である。給紙カセット４内のシートＳは、感光ドラム１０Ｙに向かって搬送される。
【００２９】
１．３  ドロワ
ドロワ５は、カバー３が開位置に位置する状態で、開口２Ａを通って、収容位置（図１参照）と引出位置（図２参照）との間を移動可能である。ドロワ５が収容位置に位置する場合、ドロワ５は、本体ケーシング２内に収容される。ドロワ５が引出位置に位置する場合、ドロワ５は、本体ケーシング２外に引き出される。なお、ドロワ５は、引出位置に位置した状態で、本体ケーシング２から取り外し可能である。
【００３０】
ドロワ５は、４つの感光ドラム１０Ｙ、１０Ｍ、１０Ｃ、１０Ｋと、４つの帯電器１１Ｙ、１１Ｍ、１１Ｃ、１１Ｋとを備える。
【００３１】
４つの感光ドラム１０Ｙ、１０Ｍ、１０Ｃ、１０Ｋは、ドロワ５の移動方向において、互いに間隔を隔てて並ぶ。感光ドラム１０Ｙは、第１軸Ａ１について回転可能である。第１軸Ａ１は、軸方向に延びる。軸方向は、ドロワ５の移動方向と交差する。好ましくは、軸方向は、ドロワ５の移動方向と直交する。なお、ドロワ５の移動方向とは、詳しくは、後述するガイドレール３０の第１部分３０Ａ（図７参照）に沿ってドロワ５が移動する方向である。４つの感光ドラム１０Ｙ、１０Ｍ、１０Ｃ、１０Ｋのそれぞれは、軸方向に延び、円筒形状を有する。
【００３２】
帯電器１１Ｙは、感光ドラム１０Ｙの周面を帯電させる。帯電器１１Ｍは、感光ドラム１０Ｍの周面を帯電させる。帯電器１１Ｃは、感光ドラム１０Ｃの周面を帯電させる。帯電器１１Ｋは、感光ドラム１０Ｋの周面を帯電させる。
【００３３】
１．４  露光装置
露光装置６は、感光ドラム１０Ｙを露光する。帯電器１１Ｙが感光ドラム１０Ｙの周面を帯電させた後、露光装置６が、帯電された感光ドラム１０Ｙの周面に光を照射して露光することにより、感光ドラム１０Ｙの周面に静電潜像が形成される。露光装置６は、レーザースキャンユニットである。露光装置６は、感光ドラム１０Ｍ、１０Ｃ、１０Ｋも露光する。
【００３４】
１．５  ４つのカートリッジ
４つのカートリッジ７Ｙ、７Ｍ、７Ｃ、７Ｋのそれぞれは、ドロワ５に装着可能である。４つのカートリッジ７Ｙ、７Ｍ、７Ｃ、７Ｋのそれぞれは、ドロワ５に装着された状態で、ドロワ５の移動方向に並ぶ。
【００３５】
カートリッジ７Ｙは、感光ドラム１０Ｙに供給される現像剤を収容する。カートリッジ７Ｙは、現像ローラ１２Ｙを備える。
【００３６】
現像ローラ１２Ｙは、軸方向に延びる軸について回転可能である。現像ローラ１２Ｙは、軸方向に延び、円柱形状を有する。現像ローラ１２Ｙの一部は、カートリッジ７Ｙの内部に収容される。現像ローラ１２Ｙは、カートリッジ７Ｙが画像形成装置１に装着された状態で、感光ドラム１０Ｙの周面に接触する。これにより、現像ローラ１２Ｙは、カートリッジ７Ｙ内のトナーを感光ドラム１０Ｙの周面に供給可能である。現像ローラ１２Ｙがカートリッジ７Ｙ内のトナーを感光ドラム１０Ｙの周面に供給することにより、静電潜像が現像され、感光ドラム１０Ｙの周面に、トナー像が、形成される。
【００３７】
なお、カートリッジ７Ｍは、感光ドラム１０Ｍに供給される現像剤を収容する。カートリッジ７Ｍは、現像ローラ１２Ｍを備える。カートリッジ７Ｃは、感光ドラム１０Ｃに供給される現像剤を収容する。カートリッジ７Ｃは、現像ローラ１２Ｃを備える。カートリッジ７Ｋは、感光ドラム１０Ｋに供給される現像剤を収容する。カートリッジ７Ｋは、現像ローラ１２Ｋを備える。カートリッジ７Ｍ、７Ｃ、７Ｋについての説明は、カートリッジ７Ｙと同様であるため、省略する。
【００３８】
１．６  ベルトユニット
ベルトユニット８は、本体ケーシング２内に設けられる。ベルトユニット８は、給紙カセット４から供給されたシートＳを、定着装置９に向かって搬送する。詳しくは、ベルトユニット８は、第１ローラ８Ａと、第２ローラ８Ｂと、搬送ベルト８Ｃと、４つの転写ローラ１３Ｙ、１３Ｍ、１３Ｃ、１３Ｋと、ベルトフレーム８Ｄ（図７参照）とを備える。
【００３９】
第１ローラ８Ａは、軸方向に延びる第２軸Ａ２について回転可能である。
【００４０】
第２ローラ８Ｂは、ドロワ５の移動方向において第１ローラ８Ａと間隔を隔てて位置する。第２ローラ８Ｂは、軸方向に延びる第３軸Ａ３について回転可能である。
【００４１】
搬送ベルト８Ｃは、第１ローラ８Ａと第２ローラ８Ｂとに巻かれる。搬送ベルト８Ｃは、シートＳを搬送可能である。
【００４２】
４つの転写ローラ１３Ｙ、１３Ｍ、１３Ｃ、１３Ｋは、ドロワ５の移動方向において、第１ローラ８Ａと第２ローラ８Ｂとの間に位置する。４つの転写ローラ１３Ｙ、１３Ｍ、１３Ｃ、１３Ｋは、ドロワ５の移動方向において、互いに間隔をあけて並ぶ。転写ローラ１３Ｙは、感光ドラム１０Ｙに形成されたトナー像を、搬送ベルト８Ｃによって搬送されるシートＳに転写する。転写ローラ１３Ｍは、感光ドラム１０Ｍに形成されたトナー像を、搬送ベルト８Ｃによって搬送されるシートＳに転写する。転写ローラ１３Ｃは、感光ドラム１０Ｃに形成されたトナー像を、搬送ベルト８Ｃによって搬送されるシートＳに転写する。転写ローラ１３Ｋは、感光ドラム１０Ｋに形成されたトナー像を、搬送ベルト８Ｃによって搬送されるシートＳに転写する。
【００４３】
ベルトフレーム８Ｄは、図７に示すように、第１ローラ８Ａ、第２ローラ８Ｂ、および、４つの転写ローラ１３Ｙ、１３Ｍ、１３Ｃ、１３Ｋを回転可能に支持する。
【００４４】
１．７  定着装置
図１に示すように、定着装置９は、トナー像が転写されたシートＳを加熱および加圧して、シートＳにトナー像を定着させる。定着装置９を通過したシートＳは、本体ケーシング２の上に排紙される。
【００４５】
２．ドロワの詳細
次に、図３から図６、および図８を参照して、ドロワ５の詳細について説明する。
【００４６】
図３に示すように、ドロワ５は、ドロワ５の移動方向において、第１端Ｅ１と、第２端Ｅ２とを有する。第２端Ｅ２は、ドロワ５の移動方向において、第１端Ｅ１から離れて位置する。第２端Ｅ２は、ドロワ５が引出位置に位置した状態で、第１端Ｅ１よりも開口２Ａ（図２参照）から離れて位置する。ドロワ５は、上記した感光ドラム１０Ｙ、１０Ｍ、１０Ｃ、１０Ｋおよび帯電器１１Ｙ、１１Ｍ、１１Ｃ、１１Ｋに加えて、ドロワフレーム２１と、シートガイド２２と、バネ２３（図６参照）とを備える。また、ドロワ５は、ガイド２４を有する。
【００４７】
２．１  ドロワフレーム
図４および図５に示すように、ドロワフレーム２１は、第１側板２１Ａと、第２側板２１Ｂと、第３側板２１Ｃと、第４側板２１Ｄとを備える。
【００４８】
第１側板２１Ａは、軸方向におけるドロワ５の一端に位置する。第１側板２１Ａは、ドロワ５の移動方向に延びる。第１側板２１Ａは、平板形状を有する。第１側板２１Ａは、軸方向における感光ドラム１０Ｙの一端、軸方向における感光ドラム１０Ｍの一端、軸方向における感光ドラム１０Ｃの一端、および、軸方向における感光ドラム１０Ｋの一端を、回転可能に支持する。第１側板２１Ａは、図３に示すように、突起２０を有する。突起２０は、第１側板２１Ａから延びる。突起２０は、軸方向に延びる。
【００４９】
図４に示すように、第２側板２１Ｂは、軸方向におけるドロワ５の他端に位置する。第２側板２１Ｂは、軸方向において、第１側板２１Ａから離れて位置する。第２側板２１Ｂは、ドロワ５の移動方向に延びる。第２側板２１Ｂは、平板形状を有する。第２側板２１Ｂは、軸方向における感光ドラム１０Ｙの他端、軸方向における感光ドラム１０Ｍの他端、軸方向における感光ドラム１０Ｃの他端、および、軸方向における感光ドラム１０Ｋの他端を、回転可能に支持する。ドロワフレーム２１は、第１側板２１Ａと第２側板２１Ｂとによって、４つの感光ドラム１０Ｙ、１０Ｍ、１０Ｃ、１０Ｋを回転可能に支持する。なお、図示しないが、第２側板２１Ｂも、第１側板２１Ａの突起２０と同じ形状の突起を有する。
【００５０】
図５に示すように、第３側板２１Ｃは、ドロワ５の第２端Ｅ２に位置する。第３側板２１Ｃは、軸方向に延びる。第３側板２１Ｃは、平板形状を有する。第３側板２１Ｃは、第１グリップ２５を有する。すなわち、第１グリップ２５は、ドロワ５の第２端Ｅ２に位置する。
【００５１】
第４側板２１Ｄは、ドロワ５の第１端Ｅ１に位置する。第４側板２１Ｄは、軸方向に延びる。第４側板２１Ｄは、平板形状を有する。第４側板２１Ｄは、第２グリップ２６を有する。すなわち、第２グリップ２６は、ドロワ５の第１端Ｅ１に位置する。第１グリップ２５および第２グリップ２６は、ユーザーがドロワ５を本体ケーシング２から取り外すときに、ユーザーによって掴まれる。
【００５２】
２．２  シートガイド
シートガイド２２は、図５および図６に示すように、ドロワフレーム２１に対して、第１位置（図５参照）と第２位置（図６参照）との間で移動可能である。シートガイド２２は、ドロワ５が引出位置（図２参照）に位置した状態で、第１位置に位置する。シートガイド２２が第１位置に位置する場合、シートガイド２２は、搬送ベルト８Ｃに対して位置決めされていない。また、シートガイド２２は、ドロワ５が収容位置（図１参照）に位置した状態で、第２位置に位置する。シートガイド２２が第２位置に位置する場合、シートガイド２２は、ベルトユニット８のベルトフレーム８Ｄ（図８参照）と接触することによって搬送ベルト８Ｃに対して位置決めされる。
【００５３】
図５に示すように、ドロワ５が引出位置に位置し、シートガイド２２が第１位置に位置した状態で、シートガイド２２は、感光ドラム１０Ｙよりも下方に位置し、かつ、ドロワ５の移動方向において、感光ドラム１０Ｙと、ドロワ５の第２端Ｅ２との間に位置する。詳しくは、ドロワ５が引出位置に位置し、シートガイド２２が第１位置に位置する状態で、ドロワ５の移動方向におけるシートガイド２２の一端Ｅ４１は、感光ドラム１０Ｙの下方に位置する。また、ドロワ５が引出位置に位置し、シートガイド２２が第１位置に位置する状態で、ドロワ５の移動方向におけるシートガイド２２の他端Ｅ４２は、ドロワ５の移動方向において、感光ドラム１０Ｙと、ドロワ５の第２端Ｅ２との間に位置する。
【００５４】
ここで、ユーザーがドロワ５を本体ケーシング２から取り外す場合に、ドロワ５の第２端Ｅ２を掴むユーザーの指がドロワ５の下方に回り込む可能性がある。しかし、ドロワ５が引出位置に位置する場合、シートガイド２２が第１位置に位置しているので、ユーザーの指は、感光ドラム１０Ｙに接触せずに、シートガイド２２に接触する。これにより、ユーザーがドロワ５を本体ケーシング２から取り外す場合に、シートガイド２２は、感光ドラム１０Ｙを保護できる。
【００５５】
一方、図６に示すように、ドロワ５が収容位置に位置し、シートガイド２２が第２位置に位置する状態で、シートガイド２２は、ドロワ５の移動方向において、感光ドラム１０Ｙと、ドロワ５の第２端Ｅ２との間に位置する。また、ドロワ５が収容位置に位置し、シートガイド２２が第２位置に位置する状態で、シートガイド２２は、ドロワ５の移動方向において、感光ドラム１０Ｙと第１グリップ２５との間に位置する。
【００５６】
シートガイド２２は、図４に示すように、軸方向に延びる。シートガイド２２は、軸方向において、第１端Ｅ１１と第２端Ｅ１２とを有する。第２端Ｅ１２は、軸方向において第１端Ｅ１１から離れて位置する。シートガイド２２は、第１接触部２２Ａと、第２接触部２２Ｂと、ガイド部２２Ｃと、突起２２Ｄとを備える。
【００５７】
第１接触部２２Ａは、シートガイド２２の第１端Ｅ１１に位置する。第１接触部２２Ａは、軸方向において、ガイド部２２Ｃから離れている。第１接触部２２Ａは、シートガイド２２の第１端Ｅ１１から下方に延びる。第１接触部２２Ａは、ドロワ５が収容位置に位置する状態で、ベルトフレーム８Ｄ（図８参照）に接触する。このとき、第１接触部２２Ａは、軸方向において、搬送ベルト８Ｃから離れた位置で、ベルトフレーム８Ｄに接触する。
【００５８】
第２接触部２２Ｂは、シートガイド２２の第２端Ｅ１２に位置する。第２接触部２２Ｂは、軸方向において、ガイド部２２Ｃに対して、第１接触部２２Ａの反対側に位置する。第２接触部２２Ｂは、軸方向において、ガイド部２２Ｃから離れている。第２接触部２２Ｂは、シートガイド２２の第２端Ｅ１２から下方に延びる。第２接触部２２Ｂは、ドロワ５が収容位置に位置する状態で、ベルトフレーム８Ｄ（図８参照）に接触する。このとき、第２接触部２２Ｂは、軸方向において、搬送ベルト８Ｃから離れた位置で、ベルトフレーム８Ｄに接触する。
【００５９】
ガイド部２２Ｃは、軸方向において、第１接触部２２Ａと第２接触部２２Ｂとの間に位置する。ガイド部２２Ｃは、軸方向に延びる。また、ガイド部２２Ｃは、図６に示すように、ドロワ５の移動方向に延びる。ガイド部２２Ｃは、湾曲した板形状を有する。ガイド部２２Ｃは、図１に示すように、ドロワ５が収容位置に位置し、シートガイド２２が第２位置に位置する状態で、搬送ベルト８Ｃに向かい合う。これにより、ドロワ５が収容位置に位置し、シートガイド２２が第２位置に位置する状態で、給紙カセット４内のシートＳが感光ドラム１０Ｙに向かって搬送された場合、ガイド部２２Ｃは、シートＳを搬送ベルト８Ｃに案内する。
【００６０】
突起２２Ｄは、図４に示すように、シートガイド２２の第１端Ｅ１１に位置する。突起２２Ｄは、シートガイド２２の第１端Ｅ１１から延びる。突起２２Ｄは、軸方向に延びる。突起２２Ｄは、ガイド２４（図３参照）に嵌まる。これにより、シートガイド２２は、ガイド２４に沿って移動可能となる。
【００６１】
２．３  バネ
図６に示すように、バネ２３は、圧縮コイルばねである。バネ２３の一端は、ドロワ５の一部に接触する。バネ２３の他端は、シートガイド２２に接触する。バネ２３は、シートガイド２２が第１位置から第２位置に移動することにより、圧縮される。これにより、バネ２３は、第２位置に位置するシートガイド２２を第１位置に向かって押圧する。
【００６２】
２．４  ガイド
図３に示すように、ガイド２４は、第１側板２１Ａに設けられる。ガイド２４は、ドロワ５の移動方向に対して傾斜する方向に延びる。ガイド２４は、ドロワ５の第２端Ｅ２から第１端Ｅ１へ向かうにつれて、下方へ向かう方向に延びる。ガイド２４は、長穴である。ガイド２４は、ガイド２４が延びる方向において、第１端Ｅ２１と、第２端Ｅ２２とを有する。第１端Ｅ２１は、ドロワ５が移動する方向において、感光ドラム１０Ｙの第１軸Ａ１と、ドロワ５の第２端Ｅ２との間に位置する。第２端Ｅ２２は、ガイド２４が延びる方向において、第１端Ｅ２１から離れて位置する。第２端Ｅ２２は、感光ドラム１０Ｙの第１軸Ａ１の下方に位置する。ガイド２４は、シートガイド２２の移動を案内する。シートガイド２２が第２位置から第１位置へ向かって移動する場合、シートガイド２２は、ガイド２４によって案内されることにより、下方へ向かうにつれて、ドロワ５の第２端Ｅ２から感光ドラム１０Ｙに近づく方向へ移動する。
【００６３】
一方、シートガイド２２が第１位置から第２位置へ向かって移動する場合、シートガイド２２は、ガイド２４によって案内されることにより、上方へ向かうにつれて、感光ドラム１０Ｙからドロワ５の第２端Ｅ２に近づく方向へ移動する。
【００６４】
ここで、ユーザーがドロワ５を本体ケーシング２から取り外すときに、ユーザーの指がシートガイド２２に接触した場合、シートガイド２２は、ガイド２４と交差する方向に押圧される。詳しくは、シートガイド２２は、上方へ向かうにつれて、感光ドラム１０Ｙに近づく方向に押圧される。そのため、ユーザーがドロワ５を本体ケーシング２から取り外すときに、ユーザーの指がシートガイド２２に接触しても、シートガイド２２は、第１位置から第２位置へ移動せず、感光ドラム１０Ｙを保護できる。
【００６５】
３．本体ケーシングの詳細
次に、図７および図８を参照して、本体ケーシング２の詳細について説明する。
【００６６】
図７に示すように、本体ケーシング２は、ガイドレール３０を備える。ガイドレール３０は、ドロワ５の移動方向に延びる。ガイドレール３０には、ドロワ５の突起２０が嵌まる。これにより、ガイドレール３０は、ドロワ５を移動可能に支持する。ガイドレール３０は、第１部分３０Ａと、第２部分３０Ｂとを有する。
【００６７】
第１部分３０Ａは、ドロワ５の移動方向に延びる。第１部分３０Ａは、水平方向に延びる。第１部分３０Ａは、ドロワ５の移動方向において、第１端Ｅ３１と第２端Ｅ３２とを有する。第２端Ｅ３２は、ドロワ５の移動方向において、第１端Ｅ３１から離れて位置する。第１端Ｅ３１は、ドロワ５の移動方向において、第２端Ｅ３２と開口２Ａとの間に位置する。ドロワ５は、第１部分３０Ａによって案内されているとき、上下方向において、ベルトユニット８から離れている。第１部分３０Ａは、ドロワ５とベルトユニット８との上下方向における間隔を保ったまま、ドロワ５を、収容位置と引出位置との間で案内する。
【００６８】
第２部分３０Ｂは、第１部分３０Ａの第２端Ｅ３２に位置する。第２部分３０Ｂは、第１部分３０Ａの第２端Ｅ３２から延びる。第２部分３０Ｂは、第１部分３０Ａに対して傾斜する。第２部分３０Ｂは、開口２Ａから離れるにつれて、下方に向かう。これにより、ガイドレール３０は、ドロワ５が引出位置から収容位置へ移動する途中で、ドロワ５をベルトユニット８に近づくように案内する。
【００６９】
ここで、図７および図８に示すように、シートガイド２２は、ドロワ５がガイドレール３０に案内されてベルトユニット８に近づくように移動するときに、ベルトフレーム８Ｄと接触して、第１位置から第２位置へ移動する。詳しくは、ドロワ５がガイドレール３０の第２部分３０Ｂに案内されてベルトユニット８に近づくように移動するときに、シートガイド２２の第１接触部２２Ａおよび第２接触部２２Ｂがベルトフレーム８Ｄと接触する。これにより、ベルトフレーム８Ｄに対するシートガイド２２の位置が決まる。
【００７０】
そして、図８に示すように、シートガイド２２の第１接触部２２Ａおよび第２接触部２２Ｂがベルトフレーム８Ｄと接触した状態で、ドロワ５が、さらにベルトユニット８に近づくように移動して収容位置に位置すると、シートガイド２２は、ドロワフレーム２１に対して第２位置に位置する。これにより、シートガイド２２は、ドロワ５が引出位置から収容位置へ移動する途中で、第１位置から第２位置へ移動する。シートガイド２２が第２位置に位置する状態で、図１に示すように、給紙カセット４内のシートＳが感光ドラム１０Ｙに向かって搬送された場合、シートガイド２２は、シートＳを搬送ベルト８Ｃに案内する。
【００７１】
４．作用効果
（１）画像形成装置１では、図７および図８に示すように、シートガイド２２は、ドロワ５が引出位置から収容位置へ移動する途中で、ベルトフレーム８Ｄと接触することによって搬送ベルト８Ｃに対して位置決めされる。
【００７２】
そのため、ベルトユニット８にシートガイド２２を直接位置決めすることができ、搬送ベルト８Ｃに対するシートガイド２２の位置を精度よく決めることができる。
【００７３】
（２）また、画像形成装置１では、図２に示すように、ドロワ５が引出位置に位置し、シートガイド２２が第１位置に位置した状態で、ユーザーがドロワ５を本体ケーシング２から取り外す場合に、ユーザーの指がドロワ５の下方に回り込む可能性がある。
【００７４】
しかし、ドロワ５が引出位置に位置し、シートガイド２２が第１位置に位置した状態で、シートガイド２２は、感光ドラム１０Ｙよりも下方に位置し、かつ、ドロワ５の移動方向において、感光ドラム１０Ｙと、ドロワ５の第２端Ｅ２との間に位置する。
【００７５】
そのため、ユーザーの指は、ドロワ５の下方に回り込んだとしても、感光ドラム１０Ｙに接触せずに、シートガイド２２に接触する。
【００７６】
これにより、シートガイド２２は、ユーザーがドロワ５を本体ケーシング２から取り外す場合に、感光ドラム１０Ｙを保護できる。
【００７７】
（３）また、画像形成装置１では、図３に示すように、シートガイド２２が第２位置から第１位置へ向かって移動する場合、シートガイド２２は、ドロワ５のガイド２４に沿って、下方へ向かうにつれて、ドロワの第２端から感光ドラムに近づく方向へ移動する。
【００７８】
一方、シートガイド２２が第１位置から第２位置へ向かって移動する場合、シートガイド２２は、ガイド２４によって案内されることにより、上方へ向かうにつれて、感光ドラム１０Ｙからドロワ５の第２端Ｅ２に近づく方向へ移動する。
【００７９】
ここで、ユーザーがドロワ５を本体ケーシング２から取り外すときに、ユーザーの指がシートガイド２２に接触した場合、シートガイド２２は、ガイド２４と交差する方向に押圧される。詳しくは、シートガイド２２は、上方へ向かうにつれて、感光ドラム１０Ｙに近づく方向に押圧される。
【００８０】
そのため、ユーザーがドロワ５を本体ケーシング２から取り外すときに、ユーザーの指がシートガイド２２に接触しても、シートガイド２２は、第１位置から第２位置へ移動せず、感光ドラム１０Ｙを保護できる。
【００８１】
５．変形例
次に、図９から図１２を参照して、変形例について説明する。
【００８２】
図９に示すように、画像形成装置１は、カム１００を有してもよい。
【００８３】
カム１００は、ドロワ５が引出位置から収容位置へ移動する途中でシートガイド２２を第１位置から第２位置へ移動させる。カム１００は、本体ケーシング２内に設けられる。カム１００は、ドロワ５の移動方向において、ベルトユニット８と開口２Ａとの間に位置する。カム１００は、第１傾斜面１００Ａと、平面１００Ｂと、第２傾斜面１００Ｃとを有する。
【００８４】
第１傾斜面１００Ａは、ドロワ５の移動方向において、平面１００Ｂと開口２Ａとの間に位置する。第１傾斜面１００Ａは、ドロワ５の移動方向に対して傾斜する。第１傾斜面１００Ａは、開口２Ａから離れるにつれて上方へ向かう方向に延びる。
【００８５】
平面１００Ｂは、ドロワ５の移動方向において、第１傾斜面１００Ａと第２傾斜面１００Ｃとの間に位置する。平面１００Ｂは、第１傾斜面１００Ａおよび第２傾斜面１００Ｃに接続する。平面１００Ｂは、ドロワ５の移動方向に延びる。
【００８６】
第２傾斜面１００Ｃは、ドロワ５の移動方向において、ベルトユニット８と平面１００Ｂとの間に位置する。第２傾斜面１００Ｃは、ドロワ５の移動方向に対して傾斜する。第２傾斜面１００Ｃは、開口２Ａから離れるにつれて下方へ向かう方向に延びる。
【００８７】
シートガイド２２は、ドロワ５が引出位置から収容位置へ移動する途中で、カム１００と接触することにより、第１位置から第２位置へ移動する。
【００８８】
詳しくは、図９に示すように、シートガイド２２は、ドロワ５が引出位置から収容位置へ移動する途中で、まず、カム１００の第１傾斜面１００Ａと接触する。これにより、シートガイド２２は、第１傾斜面１００Ａの傾斜に沿って、第１位置から上方へ移動する。
【００８９】
次いで、図１０に示すように、シートガイド２２は、カム１００の平面１００Ｂと接触する。このとき、シートガイド２２は、第２位置よりも上に位置する。
【００９０】
次いで、図１１に示すように、シートガイド２２は、カム１００の第２傾斜面１００Ｃと接触する。これにより、シートガイド２２は、第２傾斜面１００Ｃの傾斜に沿って、ベルトフレーム８Ｄに向かって下方へ移動する。
【００９１】
そして、図１２に示すように、ドロワ５が収容位置に位置するタイミングで、シートガイド２２は、ベルトフレーム８Ｄに接触する。シートガイド２２がベルトフレーム８Ｄに接触すると、上記した実施形態と同様に、シートガイド２２は、第２位置に位置する。
【００９２】
変形例においても、上記した実施形態と同様の作用効果を得ることができる。
【符号の説明】
【００９３】
１        画像形成装置
２        本体ケーシング
２Ａ      開口
３        カバー
５        ドロワ
７Ｙ      カートリッジ
８        ベルトユニット
８Ａ      第１ローラ
８Ｂ      第２ローラ
８Ｃ      搬送ベルト
１０Ｙ    感光ドラム
２１      ドロワフレーム
２２      シートガイド
２２Ａ    第１接触部
２２Ｂ    第２接触部
２２Ｃ    ガイド部
２３      バネ
２４      ガイド
３０      ガイドレール
１００    カム
Ａ１      第１軸
Ａ２      第２軸
Ａ３      第３軸
Ｅ１      第１端
Ｅ２      第２端
Ｓ        シート
【図１】
2020034677.tif 000003
【図２】
2020034677.tif 000004
【図３】
2020034677.tif 000005
【図４】
2020034677.tif 000006
【図５】
2020034677.tif 000007
【図６】
2020034677.tif 000008
【図７】
2020034677.tif 000009
【図８】
2020034677.tif 000010
【図９】
2020034677.tif 000011
【図１０】
2020034677.tif 000012
【図１１】
2020034677.tif 000013
【図１２】
2020034677.tif 000014